(57)【要約】【課題】画像形成装置と該画像形成装置とは別体ユニットとを備えた画像形成システムであって、当該画像形成システムの利用スペースの省スペース化を実現させることができると共に、開閉部が画像形成装置の前側に不用意に開閉されないようにすることができる画像形成システムを提供する。【解決手段】画像形成システムは、画像形成装置と画像形成装置とは別体ユニットとを備えている。画像形成装置の前側には、前側に開閉する開閉部が設けられている。別体ユニットは、開閉部を開閉可能な所定の第１位置と、開閉部の少なくとも一部を該開閉部が開閉しないように遮る画像形成装置の前側の所定の第２位置との間で所定の移動経路に沿って移動可能な構成とされている。【選択図】図１
2019084686.tif 000002
【特許請求の範囲】
【請求項１】
画像形成装置と該画像形成装置とは別体ユニットとを備えた画像形成システムであって、
前記画像形成装置の前側には、前記前側に開閉する開閉部が設けられており、
前記別体ユニットは、前記開閉部を開閉可能な所定の第１位置と、前記開閉部の少なくとも一部を該開閉部が開閉しないように遮る前記画像形成装置の前記前側の所定の第２位置との間で所定の移動経路に沿って移動可能な構成とされていることを特徴とする画像形成システム。
【請求項２】
請求項１に記載の画像形成システムであって、
前記第１位置は、前記画像形成装置の前記前側以外の位置であることを特徴とする画像形成システム。
【請求項３】
請求項２に記載の画像形成システムであって、
前記第１位置は、前記画像形成装置の右側面側の位置又は左側面側の位置であることを特徴とする画像形成システム。
【請求項４】
請求項２に記載の画像形成システムであって、
前記第１位置は、前記画像形成装置の右側面側と前記前側との間の位置又は左側面側と前記前側との間の位置であることを特徴とする画像形成システム。
【請求項５】
請求項１に記載の画像形成システムであって、
前記第１位置は、前記画像形成装置から前記前側に離間した位置であることを特徴とする画像形成システム。
【請求項６】
請求項１から請求項５までの何れか１つに記載の画像形成システムであって、
前記別体ユニットは、前記第１位置と前記第２位置との間で回動可能とされていることを特徴とする画像形成システム。
【請求項７】
請求項１から請求項５までの何れか１つに記載の画像形成システムであって、
前記別体ユニットは、前記第１位置と前記第２位置との間でスライド可能とされていることを特徴とする画像形成システム。
【請求項８】
請求項１から請求項７までの何れか１つに記載の画像形成システムであって、
前記別体ユニットに設けられた第１表示部と、前記画像形成装置に設けられた第２表示部とを備え、
前記別体ユニットは、前記第１位置に位置しているときには前記第１表示部が前記第２表示部全体を開放し、前記第２位置に位置しているときには前記第１表示部が前記第２表示部の少なくとも一部を隠蔽することを特徴とする画像形成システム。
【請求項９】
請求項８に記載の画像形成システムであって、
前記画像形成装置の上部に設けられた原稿送り装置を備え、
前記第１表示部は、前記別体ユニットが前記第２位置に位置しているときに前記原稿送り装置よりも前記前側に位置し、前記別体ユニットが少なくとも前記第２位置に位置しているときに前記原稿送り装置の原稿載置トレイと同じ位置か又は前記原稿載置トレイよりも低いことを特徴とする画像形成システム。
【請求項１０】
請求項８又は請求項９に記載の画像形成システムであって、
前記別体ユニットは、前記第１表示部から下側に延びた下側部を備えることを特徴とする画像形成システム。
【請求項１１】
請求項１０に記載の画像形成システムであって、
前記下側部は、前記画像形成装置の前記前側の面に沿うように形成されていることを特徴とする画像形成システム。
【請求項１２】
請求項１０又は請求項１１に記載の画像形成システムであって、
前記別体ユニットが前記第１位置に位置するときに、前記下側部が前記開閉部を開閉可能とし、前記別体ユニットが前記第２位置に位置するときに、前記下側部が前記開閉部の少なくとも一部を該開閉部が開閉しないように遮ることを特徴とする画像形成システム。
【請求項１３】
請求項８から請求項１２までの何れか１つに記載の画像形成システムであって、
前記第１表示部は、水平方向又は略水平方向に沿った回動軸線回りに回動するチルト機構を備えることを特徴とする画像形成システム。
【請求項１４】
請求項８から請求項１３までの何れか１つに記載の画像形成システムであって、
前記別体ユニットからの指示信号に基づいて前記画像形成装置を作動制御する制御装置を備え、
前記第１表示部を表示し、かつ、前記第２表示部を表示しない第１表示状態と、前記第２表示部を表示し、かつ、前記第１表示部を表示しない第２表示状態とを切替可能な構成とされており、
前記制御装置に電力が供給されているときには前記第１表示状態にし、前記制御装置への電力の供給が遮断されているときには前記第２表示状態にすることを特徴とする画像形成システム。
【請求項１５】
請求項１から請求項１４までの何れか１つに記載の画像形成システムであって、
前記開閉部は、前記前側に引出可能なシート収容部、及び／又は、前記前側に回動可能な開閉カバーを含むことを特徴とする画像形成システム。
【請求項１６】
請求項１から請求項１５までの何れか１つに記載の画像形成システムであって、
前記画像形成装置は、シートを載置する排出トレイを備え、前記画像形成装置の前記前側には、前記排出トレイに載置された前記シートを取り出すためのシート取り出し開口部が設けられており、
前記別体ユニットは、前記第２位置に位置しているとき前記シート取り出し開口部の少なくとも一部を開口することを特徴とする画像形成システム。
【請求項１７】
請求項１から請求項１６までの何れか１つに記載の画像形成システムであって、
前記画像形成装置を載置する専用台を備え、
前記専用台の前側には、前記前側に開閉する専用台側開閉部が設けられており、
前記別体ユニットは、前記第１位置に位置しているときには前記専用台側開閉部を開閉可能とし、前記第２位置に位置しているときには前記専用台側開閉部の少なくとも一部を該専用台側開閉部が開閉しないように遮ることを特徴とする画像形成システム。
【請求項１８】
請求項１から請求項１７までの何れか１つに記載の画像形成システムであって、
前記画像形成装置を載置する専用台を備え、
前記別体ユニットは、前記専用台に設けられていることを特徴とする画像形成システム。
【請求項１９】
請求項１から請求項１７までの何れか１つに記載の画像形成システムであって、
前記別体ユニットは、前記画像形成装置に設けられていることを特徴とする画像形成システム。
【請求項２０】
請求項１から請求項１９までの何れか１つに記載の画像形成システムであって、
前記別体ユニットは、前記第２位置に位置しているときに印刷物の排出口が前記前側に向くように設けられた印刷装置を備えていることを特徴とする画像形成システム。
【発明の詳細な説明】
【技術分野】
【０００１】
本発明は、複写機、複合機、プリンター等の画像形成装置と該画像形成装置とは別外の別体ユニットとを備えた画像形成システムに関する。
【背景技術】
【０００２】
複写機、複合機、プリンター等の画像形成装置と該画像形成装置とは別外の別体ユニットとを備えた画像形成システムにおいて、別体ユニットとしては、例えば、操作者により操作可能な操作ユニット、具体的には、郵便局やコンビニエンスストア等の設置施設内に設置され、住民票の写しや印鑑証明書等の各種証明書類を印刷する行政サービスを行う情報処理端末ユニットを挙げることができる。このような画像形成システムでは、近年、小規模な設置施設（限られた設置スペース）でも設置できるように、画像形成システムの利用スペースの省スペース化が要求されている。
【先行技術文献】
【特許文献】
【０００３】
【特許文献１】特開２００３−２９６００号公報
【発明の概要】
【発明が解決しようとする課題】
【０００４】
ところで、画像形成システムに用いられる画像形成装置の中には、画像形成装置の前側に、前側に開閉する開閉部（例えば前側に引出可能なシート収容部、及び／又は、前側に回動可能な開閉カバー）が設けられているものがある。このような画像形成装置では、開閉部が画像形成装置の前側に不用意に開閉されないようにすることが要求されている。
【０００５】
この点に関し、特許文献１は、画像形成装置の側面側に回動可能に開閉ドアを設け、画像形成装置の側面側に開閉ドアを覆うように回動可能にオプションモジュールを設けた画像形成システムを開示している。
【０００６】
しかしながら、特許文献１に記載の構成では、開閉ドア及びオプションモジュールが何れも側面側で開閉するので、開閉部が画像形成装置の前側に不用意に開閉されないようにする構成にはなっていない。
【０００７】
そこで、本発明は、画像形成装置と該画像形成装置とは別外の別体ユニットとを備えた画像形成システムであって、当該画像形成システムの利用スペースの省スペース化を実現させることができると共に、開閉部が画像形成装置の前側に不用意に開閉されないようにすることができる画像形成システムを提供することを目的とする。
【課題を解決するための手段】
【０００８】
前記課題を解決するために、本発明に係る画像形成システムは、画像形成装置と該画像形成装置とは別体ユニットとを備えた画像形成システムであって、前記画像形成装置の前側には、前記前側に開閉する開閉部が設けられており、前記別体ユニットは、前記開閉部を開閉可能な所定の第１位置と、前記開閉部の少なくとも一部を該開閉部が開閉しないように遮る前記画像形成装置の前記前側の所定の第２位置との間で所定の移動経路に沿って移動可能な構成とされていることを特徴とする。
【発明の効果】
【０００９】
本発明によると、画像形成システムの利用スペースの省スペース化を実現させることができると共に、開閉部が画像形成装置の前側に不用意に開閉されないようにすることが可能となる。
【図面の簡単な説明】
【００１０】
【図１】第１実施形態に係る画像形成システムにおいて別体ユニットが第２位置に位置している状態を示す概略斜視図である。
【図２】第１実施形態に係る画像形成システムにおいて別体ユニットが第１位置と第２位置との間に位置している状態を示す概略斜視図である。
【図３】第１実施形態に係る画像形成システムにおいて別体ユニットが第１位置と第２位置との間に位置している状態を示す概略正面図である。
【図４】別体ユニットに設けられた第１表示部の初期画面を示す概略平面図である。
【図５】第２実施形態に係る画像形成システムにおいて別体ユニットが第２位置に位置している状態を示す概略斜視図である。
【図６】第２実施形態に係る画像形成システムにおいて別体ユニットが第１位置に位置している状態を示す概略平面図である。
【図７】第３実施形態に係る画像形成システムにおいて別体ユニットが第１位置に位置している状態を示す概略斜視図である。
【図８】第３実施形態に係る画像形成システムにおいて別体ユニットが第１位置に位置している状態を示す概略平面図である。
【発明を実施するための形態】
【００１１】
以下、本発明に係る実施の形態について図面を参照しながら説明する。
【００１２】
［画像形成システムの全体構成］
（第１実施形態）
図１は、第１実施形態に係る画像形成システム１００において別体ユニット３００が第２位置に位置している状態を示す概略斜視図である。図２及び図３は、それぞれ、第１実施形態に係る画像形成システム１００において別体ユニット３００が第１位置と第２位置との間に位置している状態を示す概略斜視図及び概略正面図である。また、図４は、別体ユニット３００に設けられた第１表示部３２０の初期画面を示す概略平面図である。なお、図１から図４及び後述する図５から図８において、符号Ｘ，Ｙ，Ｚは、それぞれ、画像形成装置２００の左右方向、前後方向及び上下方向を示している。
【００１３】
本実施の形態に係る画像形成システム１００は、画像形成装置２００と画像形成装置２００とは機能的に異なる別体ユニット３００とを備えている。別体ユニット３００としては、例えば、操作者により操作可能な操作ユニット、具体的には、郵便局やコンビニエンスストア等の設置施設内に設置され、住民票の写しや印鑑証明書等の各種証明書類を印刷する行政サービスを行う情報処理端末ユニットを挙げることができる。画像形成システム１００において、例えば、行政サービスを行う場合、第１表示部３２０に表示された図４に示す初期画面から行政サービスのキーＫの選択入力を受け付ける。データ読取装置３２０ｂ（具体的にはＩＣカード読取装置）から入力された個人識別データ（具体的にはマイナンバーカード等のＩＣカードに記録されたデータ）から住民票の写しや印鑑証明書等の各種証明書類を画像形成装置２００から印刷する。このとき、利用者は、画像形成装置２００の横に配置された課金装置（いわゆるコインベンダー）（図示省略）から課金し、印刷装置３５０から印刷された領収書を受け取る。
【００１４】
画像形成装置２００は、図示しない像担持体（具体的には感光体ドラム）を備え、外部から伝達された画像データに応じて、図示しない記録用紙等のシート（具体的には記録シート）に対して画像を形成する画像形成装置である。画像形成装置２００は、この例では、最大画像形成サイズがＡ４サイズのものである。画像形成装置２００は、モノクロ画像形成装置であってもよいし、カラー画像形成装置（例えばタンデム型のカラー画像形成装置）であってもよい。
【００１５】
画像形成装置２００は、画像形成装置本体２０１と、画像読取装置２０２とを備えている。画像形成装置本体２０１には、画像形成部２１０とシート搬送系２２０とが設けられている。
【００１６】
画像形成装置２００の前側（操作側）には、前側に開閉する開閉部２３０が設けられている。ここで、前側は画像形成装置２００の正面側であり、後側（操作側とは反対側）は画像形成装置２００の背面側である。開閉部２３０は、前側に引出可能（具体的には引出自在）なシート収容部２３１、及び／又は、前側に回動可能（具体的には回動自在）な開閉カバー２３２（この例ではシート収容部２３１及び開閉カバー２３２の双方）を含んでいる。この例では、シート収容部２３１は、１段のものであるが、上下方向Ｚに沿って複数段積み重ねたものであってもよい。また、開閉部２３０は、特定の操作者が開閉するための開閉部である。特定の操作者は、例えば、設置施設の管理者やサービスマン等を挙げることができる。
【００１７】
別体ユニット３００は、開閉部２３０を開閉可能な所定の第１位置と、開閉部２３０の少なくとも一部を開閉部２３０が開閉しないように遮る画像形成装置２００の前側の所定の第２位置との間で所定の移動経路に沿って移動可能（具体的には移動自在）な構成とされている。
【００１８】
本実施の形態に係る画像形成システム１００によれば、別体ユニット３００は、開閉部２３０を開閉可能な第１位置と画像形成装置２００の前側の第２位置との間で移動可能な構成とされているので、スペースを有効に利用することができる。これにより、画像形成システム１００の利用スペースの省スペース化を実現させることができる。しかも、別体ユニット３００は、画像形成装置２００の前側の第２位置に位置するときに開閉部２３０の少なくとも一部を開閉部２３０が開閉しないように遮るので、別体ユニット３００により開閉部２３０の開閉を邪魔することができる。これにより、開閉部２３０が画像形成装置２００の前側に不用意に開閉されないようにすることができる。
【００１９】
詳しくは、画像形成システム１００は、不特定多数の操作者が利用する。このことから、開閉部２３０が不特定多数の操作者に自由に開閉されると、画像形成装置２００内の構成部材やシート収容部内のシートが紛失したり、画像形成装置２００内の構成部材の不用意な操作により動作不良が発生したりといった不都合が発生することがある。このため、従来では、開閉部を特定の操作者（例えば設置施設の管理者やサービスマン等の特定の操作者）が開閉する開閉部とし、特定の操作者が開閉部（開閉部が複数存在する場合は個々の開閉部）を施錠していた。従って、開閉部２３０が不特定多数の操作者に自由に開閉されることを防止することが望まれる。この点、本実施の形態に係る画像形成システム１００では、別体ユニット３００が第２位置に位置するときに開閉部２３０の少なくとも一部を開閉部２３０が開閉しないように遮るので、開閉部２３０が不特定多数の操作者に自由に開閉されることを効果的に防止することができる。例えば、通常は（開閉部２３０の開閉が要求されていないときには）開閉部２３０の開閉を禁止する一方、開閉部２３０の開閉が要求されているとき（シートの補給、シートの詰まり処理やトナーや現像剤の交換等のメンテナンスを行う必要があるとき）のみ開閉部２３０の開閉を許容することができる。
【００２０】
ところで、従来の画像形成システムでは、大型の画像形成装置（具体的には最大画像形成サイズがＡ３サイズの画像形成装置）及び別体ユニットが設置施設に併置され、それだけ大きな設置面積を必要としていた。しかも、画像形成装置を設置するにあたって相当の重量物搬送と人員を必要としていた。この点、本実施の形態に係る画像形成システム１００では、別体ユニット３００が第１位置と第２位置との間で移動可能な構成とされている。従って、画像形成装置２００及び別体ユニット３００を小型化、軽量化しても別体ユニット３００としての機能を支障なく発揮させることができる。また、画像形成システム１００において、既存の画像形成装置２００を用いることができる。
【００２１】
本実施の形態に係る画像形成システム１００において、別体ユニット３００は、別体ユニット３００を第２位置で施錠する錠３１０を備えている。こうすることで、錠３１０に対応する鍵３１１により別体ユニット３００を第２位置で施錠することができ、これにより、開閉部２３０の開閉を確実に禁止することができる。また、本実施の形態のように開閉部２３０が複数存在する場合（この例ではシート収容部２３１及び開閉カバー２３２の２つの開閉部２３０が存在する場合）でも、個々の開閉部２３０〜２３０に鍵を設ける必要がなく、複数の開閉部２３０〜２３０を１つの錠３１０で施錠することができる。ここで、錠３１０は、機械的構成のものだけでなく、電子的構成のものを含む概念である。錠３１０に対応する鍵３１１は、物理的な鍵の他、ＩＣカード等のカードキー、指紋等の生体認証、パスワード等の秘密情報又はこれらの組み合わせを例示できる。また、鍵３１１は、特定の操作者が保管及び／又は登録することができる。
【００２２】
本実施の形態に係る画像形成システム１００において、第１位置は、画像形成装置２００の前側以外の位置である。こうすることで、画像形成装置２００の前側のスペースを確保することができる。ここで、画像形成装置２００の前側以外の第１位置は、画像形成装置２００を前側から視て別体ユニット３００が開閉部２３０とは重ならない位置である。一方、画像形成装置２００の前側の第２位置は、画像形成装置２００を前側から視て別体ユニット３００が開閉部２３０の全体又は一部と重なる位置である。
【００２３】
本実施の形態に係る画像形成システム１００は、別体ユニット３００に設けられた第１表示部３２０と、画像形成装置２００に設けられた第２表示部２４０（図２、図３参照）とを備えている。ところで、第１表示部３２０は、通常、不特定多数の操作者が視認する。第２表示部２４０は、通常、特定の操作者が視認する。別体ユニット３００が第１位置に位置しているときに、第１表示部３２０が第２表示部２４０の少なくとも一部を隠蔽していると、特定の操作者が第２表示部２４０を視認し難い。また、別体ユニット３００が第２位置に位置しているときに、第１表示部３２０が第２表示部２４０全体を開放していると、不特定多数の操作者が第１表示部３２０と第２表示部２４０とのうち何れを視認すべきか混乱する。従って、別体ユニット３００が第１位置に位置しているときに、特定の操作者が第２表示部２４０を視認し易くすることが望まれる。また、別体ユニット３００が第２位置に位置しているときに、第１表示部３２０及び第２表示部２４０のうち第１表示部３２０を視認すべきことを不特定多数の操作者に認識させることが望まれる。
【００２４】
この点、本実施の形態では、別体ユニット３００は、第１位置に位置しているときには第１表示部３２０が第２表示部２４０全体を開放し、第２位置に位置しているときには第１表示部３２０が第２表示部２４０の少なくとも一部（全体又は一部）を隠蔽する（覆う）。こうすることで、別体ユニット３００が第１位置に位置しているときに、第１表示部３２０が第２表示部２４０全体を開放することができ、これにより特定の操作者が第２表示部２４０を視認し易くすることができる。また、別体ユニット３００が第２位置に位置しているときに、第１表示部３２０が第２表示部２４０の少なくとも一部を隠蔽することができる。これにより第１表示部３２０及び第２表示部２４０のうち第１表示部３２０を視認すべきことを不特定多数の操作者に認識させることができる。
【００２５】
この例では、第１表示部３２０の画面サイズ（全体のサイズ）は、第２表示部２４０の画面サイズ（全体のサイズ）よりも大きい。第１表示部３２０は、別体ユニット３００が第２位置に位置しているときに、第２表示部２４０全体を覆うように第２表示部２４０上に重なっている（図１参照）。
【００２６】
本実施の形態において、画像読取装置２０２は、原稿送り装置２０３を備えている。原稿送り装置２０３は、原稿を載置する原稿載置トレイ２０３ａと、排出された原稿を載置する原稿排出トレイ２０３ｂとを備えている。
【００２７】
原稿送り装置２０３は、画像形成装置２００の上部に設けられている。第１表示部３２０は、別体ユニット３００が第２位置に位置しているときに原稿送り装置２０３よりも前側に位置している。そして、第１表示部３２０は、別体ユニット３００が少なくとも第２位置に位置しているときに原稿送り装置２０３の原稿載置トレイ２０３ａと同じ位置か又は原稿載置トレイ２０３ａよりも低い（この例では原稿載置トレイ２０３ａよりも低い）。こうすることで、第１表示部３２０に邪魔されることなく原稿を原稿載置トレイ２０３ａに載置し易くすることができる。
【００２８】
本実施の形態において、別体ユニット３００は、第１表示部３２０から下側に延びた下側部３４０を備えている。こうすることで、第１表示部３２０を別体ユニット３００に確実に設けることができると共に、第１表示部３２０の表示画面を上方に向け易くすることができる。これにより第１表示部３２０の視認性を向上させることができる。第１表示部３２０は別体ユニット本体３０１の配設部３３０に配設されている。
【００２９】
詳しくは、下側部３４０は、画像形成装置２００（この例では画像形成装置本体２０１）の前側の面２０１ａに沿うように形成されている。こうすることで、下側部３４０が画像形成装置２００の前側の面２０１ａに邪魔されることなく、円滑に第２位置に位置することができる。
【００３０】
本実施の形態において、別体ユニット３００が第１位置に位置するときに、下側部３４０が開閉部２３０を開閉可能とする。また、別体ユニット３００が第２位置に位置するときに、下側部３４０が開閉部２３０の少なくとも一部（全体又は一部）を開閉部２３０が開閉しないように遮る。こうすることで、別体ユニット３００が第１位置に位置するときに下側部３４０により開閉部２３０を確実に開閉することがきる。また、別体ユニット３００が第２位置に位置するときに下側部３４０を開閉部２３０の少なくとも一部を開閉部２３０が開閉しないように確実に遮ることができる。
【００３１】
本実施の形態において、第１表示部３２０は、水平方向又は略水平方向に沿った回動軸線回りに回動するチルト機構３２１（図２、図３参照）を備えている。こうすることで、第１表示部３２０を視認し易い回動角度に容易に調整することができる。詳しくは、チルト機構３２１は、配設部３３０に設けられている。チルト機構３２１は、別体ユニット３００が第２位置に位置するときに左右方向Ｘに沿った回動軸３２１ａを有している。第１表示部３２０は、回動軸３２１ａに回転自在に設けられている。
【００３２】
本実施の形態において、画像形成システム１００は、別体ユニット３００からの指示信号に基づいて画像形成装置２００を作動制御する制御装置４００（この例ではパーソナルコンピュータを構成する制御基板）（図１参照）を備えている。画像形成装置２００は、画像形成装置本体２０１の画像形成動作を制御する制御部２５０（図１参照）を備えている。ところで、別体ユニット３００が第１位置に位置しているときには特定の操作者は第２表示部２４０のみを視認すればよいにも拘わらず、第１表示部３２０も表示すると、それだけ消費電力が無駄になる。また、別体ユニット３００が第２位置に位置しているときには不特定多数の操作者は第１表示部３２０のみを視認すればよいにも拘わらず、第２表示部２４０も表示すると、それだけ消費電力が無駄になる。しかも、不特定多数の操作者が第１表示部３２０と第２表示部２４０とのうち何れを視認すべきか混乱する。従って、消費電力が無駄になることを回避すると共に、別体ユニット３００が第２位置に位置しているときに、第１表示部３２０及び第２表示部２４０のうち第１表示部３２０を視認すべきことを不特定多数の操作者に認識させることが望まれる。
【００３３】
この点、本実施の形態において、画像形成システム１００は、第１表示部３２０を表示し、かつ、第２表示部２４０を表示しない第１表示状態と、第２表示部２４０を表示し、かつ、第１表示部３２０を表示しない第２表示状態とを切替可能な構成とされている。そして、画像形成システム１００は、制御装置４００に電力が供給されているときには（具体的には制御部２５０に電力が供給されていることを示す信号があるときには制御部２５０が）第１表示状態に切り替える。また、画像形成システム１００は、制御装置４００への電力の供給が遮断されているときには（具体的には制御部２５０に電力が供給されていることを示す信号がないときには制御部２５０が）第２表示状態に切り替える。こうすることで、制御装置４００は、第１表示状態のときに、画像形成装置本体２０１の操作部２１１（図２、図３参照）ではなく、別体ユニット３００からの指示信号により画像形成装置２００に画像形成動作（例えばコピー動作）を行わせることができる。例えば、別体ユニット３００が第１位置及び第２位置の何れに位置するかを検知する位置検知部（図示せず）の第１位置の検知による制御装置４００に対する電力の遮断又は特定の操作者による制御装置４００に対する電力の遮断により別体ユニット３００が第１位置に位置しているときに第１表示部３２０を表示しないで第２表示部２４０のみを表示する。一方、位置検知部の第２位置の検知による制御装置４００への電力の供給又は特定の操作者による制御装置４００への電力の供給により別体ユニット３００が第２位置に位置しているときに第２表示部２４０を表示しないで第１表示部３２０のみを表示する。これにより、消費電力が無駄になることを回避することができる。さらに、別体ユニット３００が第２位置に位置しているときに第１表示部３２０及び第２表示部２４０のうち第１表示部３２０を視認すべきことを不特定多数の操作者に認識させることができる。
【００３４】
詳しくは、画像形成システム１００は、第１表示状態のときに第１表示部３２０での選択操作の指示信号により画像形成装置２００に画像形成動作（例えばコピー動作）を行わせる。また、画像形成システム１００は、第２表示状態のときに第２表示部２４０での選択操作の指示信号により画像形成装置２００に画像形成動作（例えばコピー動作）や、その他の詳細な動作を行わせる。こうすることで、別体ユニット３００が第２位置に位置することで第１表示部３２０が第２表示部２４０の少なくとも一部を隠蔽することができる。さらに、画像形成装置本体２０１の第２表示部２４０ではなく、別体ユニット３００の第１表示部３２０からの指示信号により画像形成装置２００の画像形成動作を行うことができる。
【００３５】
本実施の形態において、開閉部２３０は、前側に引出可能（具体的には引出自在）なシート収容部２３１、及び／又は、前側に回動可能（具体的には回動自在）な開閉カバー２３２（この例ではシート収容部２３１及び開閉カバー２３２の双方）を含む。こうすることで、別体ユニット３００は、第２位置に位置するときにシート収容部２３１及び開閉カバー２３２の少なくとも一部をシート収容部２３１及び開閉カバー２３２が開閉しないように遮ることができる。これによりシート収容部２３１及び開閉カバー２３２が不用意に開閉されないようにすることができる。
【００３６】
本実施の形態において、画像形成装置２００は、画像形成部２１０と、排出部２０４と、排出トレイ２０５とを備えている。画像形成部２１０は、画像読取装置２０２で読み取った画像データ又は外部（例えば行政機関）からの画像データに基づいてシートに画像を形成する。排出部２０４は、画像形成部２１０で画像が形成されたシートを排出する。排出トレイ２０５は、排出部２０４からのシートを載置する。画像形成装置２００の前側には、排出トレイ２０５に載置されたシートを取り出すためのシート取り出し開口部２０６が設けられている。この例では、排出トレイ２０５は、画像形成装置本体２０１の胴内にシートを載置する胴内排出トレイとされている。詳しくは、画像読取装置２０２と画像形成部２１０との間に胴内排出空間ＳＰが形成されている。シート取り出し開口部２０６は、胴内排出空間ＳＰの前側の開放部とされている。
【００３７】
ところで、別体ユニット３００は、第２位置に位置しているときにシート取り出し開口部２０６全体を覆うと、排出トレイ２０５に載置されたシートを取り出すことが困難となる。従って、画像形成装置２００の前側にシート取り出し開口部２０６が設けられている場合において、排出トレイ２０５に載置されたシートを容易に取り出すことが望まれる。
【００３８】
この点、本実施の形態において、別体ユニット３００は、第２位置に位置しているときシート取り出し開口部２０６の少なくとも一部（全体又は一部）を開口する。こうすることで、画像形成装置２００の前側にシート取り出し開口部２０６が設けられている場合において、別体ユニット３００が第２位置に位置しているときに排出トレイ２０５に載置されたシートを容易に取り出すことができる。また、別体ユニット３００は、第１位置に位置しているときにシート取り出し開口部２０６全体を開口する。
【００３９】
本実施の形態において、画像形成システム１００は、画像形成装置２００を載置する専用台５００を備えている。専用台５００の前側には、前側に開閉する専用台側開閉部５１０が設けられている。この例では、制御装置４００は、専用台５００内に配設されている。
【００４０】
ところで、専用台５００の前側の専用台側開閉部５１０が自由に開閉されると、専用台５００内に収納されたシートやトナー等の消耗品が紛失したり、専用台５００内に制御装置４００が配設されている場合には、制御装置４００が紛失したりといった不都合が発生することがある。従って、専用台側開閉部５１０が自由に開閉されることを防止することが望まれる。
【００４１】
この点、本実施の形態において、別体ユニット３００は、第１位置に位置しているときには専用台側開閉部５１０を開閉可能とする。また、別体ユニット３００は、第２位置に位置しているときには専用台側開閉部５１０の少なくとも一部（全体又は一部）を専用台側開閉部５１０が開閉しないように遮る。こうすることで、専用台側開閉部５１０が自由に開閉されることを効果的に防止することができる。例えば、通常は（専用台側開閉部５１０の開閉が要求されていないときには）専用台側開閉部５１０の開閉を禁止する一方、専用台側開閉部５１０の開閉が要求されているとき（シートやトナーの消耗品を取り出す必要があるとき）のみ専用台側開閉部５１０の開閉を許容することができる。この例では、専用台側開閉部５１０は特定の操作者が開閉するための開閉部である。また、本実施の形態のように、別体ユニット３００が錠３１０を備えている場合、専用台側開閉部５１０に鍵を設ける必要がなく、専用台側開閉部５１０を錠３１０で施錠することができる。
【００４２】
本実施の形態において、別体ユニット３００は、専用台５００に移動可能（具体的には移動自在に）に設けられている。こうすることで、専用台５００に対して別体ユニット３００を安定的に支持することができる。
【００４３】
本実施の形態において、別体ユニット３００は、第２位置に位置しているときに印刷物の排出口３５１が前側に向くように設けられた印刷装置３５０を備えている。こうすることで、印刷物を前側から容易に取り出すことができる。
【００４４】
本実施の形態において、第１位置は、画像形成装置２００の右側面側の位置又は左側面側の位置（この例では右側面側の位置）である。ここで、右側面は画像形成装置２００の前側から視て右側の側面であり、左側面は画像形成装置２００の前側から視て左側の側面である。こうすることで、別体ユニット３００が第１位置に位置するときに、画像形成装置２００の右側面側と前側との間の空間又は画像形成装置の左側面側と前側との間の空間を確保することができる。
【００４５】
なお、第１位置は、画像形成装置２００の右側面側と前側との間の位置又は左側面側と前側との間の位置であってもよい。
【００４６】
本実施の形態において、別体ユニット３００は、第１位置と第２位置との間で上下方向Ｚに沿った回動軸線回りに回動可能（回動自在）とされている。こうすることで、簡単な構成でありながら第１位置と第２位置との間で容易な操作により別体ユニット３００を往復回動させることができる。詳しくは、別体ユニット３００は、下側部３４０の下部から後方へ延設した延設部３４１（図２、図３参照）を有している。下側部３４０は、平面（上）から視てＬ字状の形状とされている。延設部３４１は、上下方向Ｚに沿った回動軸３０２ａ（図３参照）を有するヒンジ３０２（図３参照）を介して専用台５００の右側面に設けられている。
【００４７】
なお、第１位置は、画像形成装置２００から前側に離間した位置であってもよい。この場合、例えば、別体ユニット３００を第１位置と第２位置との間で左右方向Ｘに沿った回動軸線回りに回動可能（回動自在）とすることで第１位置を画像形成装置２００から前側に離間した位置とすることができる。
【００４８】
（第２実施形態）
図５は、第２実施形態に係る画像形成システム１００において別体ユニット３００が第２位置に位置している状態を示す概略斜視図である。図６は、第２実施形態に係る画像形成システム１００において別体ユニット３００が第１位置に位置している状態を示す概略平面図である。第２実施形態に係る画像形成システム１００は、第１実施形態に係る画像形成システム１００において別体ユニット３００の回動移動構成を左右方向Ｘへのスライド移動構成に変更したものであり、それ以外は第１実施形態に係る画像形成システム１００の構成と実質的に同じである。第２実施形態において、第１実施形態と実質的に同じ構成には同一符号を付し、その説明を省略する。
【００４９】
第２実施形態において、第１位置は、画像形成装置２００の前側以外の位置である。こうすることで、画像形成装置２００の前側のスペースを確保することができる。
【００５０】
第２実施形態において、第１位置は、画像形成装置２００の右側面側と前側との間の位置又は左側面側と前側との間の位置（この例では画像形成装置本体２０１の右側面側と前側との間の位置）である。こうすることで、別体ユニット３００が第１位置に位置するときに、画像形成装置２００の右側面側の空間又は左側面側の空間を確保することができる。
【００５１】
第２実施形態において、別体ユニット３００は、第１位置と第２位置との間で左右方向Ｘに沿ってスライド可能（具体的にはスライド自在）とされている。こうすることで、簡単な構成でありながら第１位置と第２位置との間で容易な操作により別体ユニット３００を左右方向Ｘに沿って往復スライドさせることができる。
【００５２】
詳しくは、画像形成システム１００は、スライドレール１１０（この例では２本のスライドレール１１０，１１０）を備えている。別体ユニット３００は、スライドレール１１０，１１０を介して専用台５００に設けられている。スライドレール１１０，１１０は、互いに摺動する第１摺動部１１１及び第２摺動部１１２を備えている。専用台５００は、下部が前方へ突出する突出部５２０を有している。第１摺動部１１１及び第２摺動部１１２は、左右方向Ｘに延びている。第１摺動部１１１は、第２摺動部１１２と摺接する側とは反対側が専用台５００における突出部５２０の上面に設けられている。第２摺動部１１２は、第１摺動部１１１と摺接する側とは反対側が別体ユニット３００における下側部３４０の下面に設けられている。
【００５３】
なお、第１位置は、画像形成装置２００の右側面側の位置又は左側面側の位置であってもよい。この場合、スライドレール１１０を前方と右側方又は／及び左側方とに設けて平面（上）から視て略Ｌ字状又は略Ｕ字状に形成することができる。
【００５４】
（第３実施形態）
図７及び図８は、それぞれ、第３実施形態に係る画像形成システム１００において別体ユニット３００が第１位置に位置している状態を示す概略斜視図及び概略平面図である。第３実施形態に係る画像形成システム１００は、第１実施形態に係る画像形成システム１００において別体ユニット３００の回動移動構成を前後方向Ｙへのスライド移動構成に変更したものであり、それ以外は第１実施形態に係る画像形成システム１００の構成と実質的に同じである。第３実施形態において、第１実施形態と実質的に同じ構成には同一符号を付し、その説明を省略する。
【００５５】
第３実施形態において、第１位置は、画像形成装置２００から前側に離間した位置である。こうすることで、画像形成装置２００の前側以外のスペースを確保することができる。
【００５６】
第３実施形態において、別体ユニット３００は、第１位置と第２位置との間で前後方向Ｙに沿ってスライド可能（具体的にはスライド自在）とされている。こうすることで、簡単な構成でありながら第１位置と第２位置との間で容易な操作により別体ユニット３００を前後方向Ｙに沿って往復スライドさせることができる。
【００５７】
詳しくは、画像形成システム１００は、スライドレール１２０（この例では２本のスライドレール１２０，１２０）を備えている。別体ユニット３００は、スライドレール１２０，１２０を介して専用台５００に設けられている。スライドレール１２０，１２０は、互いに摺動する第１摺動部１２１及び第２摺動部１２２を備えている。別体ユニット３００は、下側部３４０の下部から後方へ延設した延設部３４２を有している。下側部３４０は、平面（上）から視てＬ字状の形状とされている。第１摺動部１２１及び第２摺動部１２２は、前後方向Ｙに延びている。第１摺動部１２１は、第２摺動部１２２と摺接する側とは反対側が専用台５００の右側面に設けられている。第２摺動部１２２は、第１摺動部１２１と摺接する側とは反対側が別体ユニット３００における延設部３４２の左側面に設けられている。この例では、制御装置４００は、専用台５００内に代えて延設部３４２内に設けられている（図８参照）。
【００５８】
なお、第１実施形態及び第３実施形態では、別体ユニット３００は、専用台５００の右側面に設けられているが、専用台５００の左側面に設けられていてもよい。また、第１実施形態から第３実施形態では、第１位置は、画像形成装置２００の右側の位置であるが、画像形成装置２００の左側の位置であってもよい。また、第１実施形態から第３実施形態では、別体ユニット３００は、専用台５００に設けられているが、画像形成装置２００に設けられていてもよい。
【００５９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００６０】
１００    画像形成システム
１１０    スライドレール
１２０    スライドレール
２００    画像形成装置
２０２    画像読取装置
２０３    原稿送り装置
２０３ａ  原稿載置トレイ
２０４    排出部
２０５    排出トレイ
２０６    シート取り出し開口部
２１０    画像形成部
２２０    シート搬送系
２３０    開閉部
２３１    シート収容部
２３２    開閉カバー
２４０    第２表示部
２５０    制御部
３００    別体ユニット
３０２ａ  回動軸
３１０    錠
３２０    第１表示部
３２１    チルト機構
３４０    下側部
３４１    延設部
３４２    延設部
３５０    印刷装置
３５１    排出口
４００    制御装置
５００    専用台
５１０    専用台側開閉部
５２０    突出部
ＳＰ      胴内排出空間
Ｘ        左右方向
Ｙ        前後方向
Ｚ        上下方向
【図１】
2019084686.tif 000003
【図２】
2019084686.tif 000004
【図３】
2019084686.tif 000005
【図４】
2019084686.tif 000006
【図５】
2019084686.tif 000007
【図６】
2019084686.tif 000008
【図７】
2019084686.tif 000009
【図８】
2019084686.tif 000010